(57)【要約】      （修正有）【課題】移動端末の遠隔表示方法及び装置を提供する。【解決手段】遠隔表示装置は、移動端末の外観イメージと移動端末から提供された表示画面情報を含む移動端末の全体イメージを表示し、表示された移動端末の全体イメージに対するサイズ変更を指示するイベントが生じれば、全体イメージに含まれた各イメージ客体のサイズ率及び相対的な位置を維持しながら全体イメージサイズを変更する。前記移動端末の遠隔表示方法及びこれを行う装置によれば、遠隔接続された移動端末の外観及び移動端末の表示画面を実際移動端末の形態と同一に表示でき、表示した移動端末のイメージサイズを変更する場合、原本イメージに含まれた各イメージ客体のサイズ率及び各イメージ客体の相対的位置を同一に保持しながら移動端末の全体イメージサイズを変更し表示する。よって、ユーザが移動端末モデルを直観的且つ容易に認識でき、ユーザの使用便宜性が向上できる。【選択図】図１
2013172460.tif 000002
【特許請求の範囲】
【請求項１】
移動端末と遠隔接続された装置で行う移動端末の遠隔表示方法において、
前記移動端末から移動端末の表示情報を提供する段階と、
提供された前記移動端末の表示情報に基づいて前記移動端末の外観イメージを獲得する段階と、
獲得した前記移動端末の外観イメージと前記移動端末から提供された表示画面情報を含む前記移動端末の全体イメージを表示する段階と、を含む移動端末の遠隔表示方法。
【請求項２】
前記移動端末の遠隔表示方法は、前記移動端末の全体イメージを表示する段階の後に、
前記表示された移動端末の全体イメージに対するサイズ変更を指示するイベントが発生すれば、前記表示された移動端末の全体イメージに含まれた各イメージ客体のサイズ比率及び各イメージ客体間の相対的な位置を維持しながら前記表示された移動端末の全体イメージサイズを変更する段階をさらに含むことを特徴とする、請求項１に記載の移動端末の遠隔表示方法。
【請求項３】
前記遠隔連結された移動端末から移動端末の表示情報が提供される段階は、前記移動端末の外観イメージを獲得するための前記移動端末の識別情報が提供されることを特徴とする、請求項１に記載の移動端末の遠隔表示方法。
【請求項４】
前記移動端末の外観イメージを獲得する段階は、予め備えられたデータベースから前記識別情報に対応する前記移動端末の外観イメージを獲得するか、またはネットワークを通じて前記識別情報に対応する前記移動端末の外観イメージを獲得することを特徴とする、請求項３に記載の移動端末の遠隔表示方法。
【請求項５】
前記移動端末の全体イメージを表示する段階は、前記移動端末の外観イメージで前記移動端末の表示素子が表示される領域を検出し、検出した前記表示素子が表示される領域に前記移動端末の表示画面を表示し、前記移動端末の全体イメージを表示することを特徴とする、請求項１に記載の移動端末の遠隔表示方法。
【請求項６】
移動端末と連結を設定した後、前記移動端末から表示情報を受信する通信部と、
前記表示情報に相当する前記移動端末の外観イメージを格納する格納部と、
前記表示情報に基づいて前記移動端末の外観イメージを前記格納部から獲得した後、獲得した前記外観イメージと前記移動端末から提供された前記移動端末の表示画面を含む前記移動端末の全体イメージが表示されるように制御を行う処理部と、
前記処理部の制御に相当して前記移動端末の全体イメージを表示する表示部と、を含む移動端末の遠隔表示装置。
【請求項７】
前記処理部は、前記移動端末の全体イメージが表示された後、前記表示された移動端末の全体イメージに対するサイズ変更を指示するイベントが発生すれば、前記表示された移動端末の全体イメージに含まれた各イメージ客体のサイズ比率及び各イメージ客体間の相対的な位置を維持しながら前記表示された移動端末の全体イメージサイズを変更することを特徴とする、請求項６に記載の移動端末の遠隔表示装置。
【請求項８】
前記移動端末の表示情報は、前記移動端末の外観イメージを獲得するための前記移動端末の識別情報を含むことを特徴とする、請求項６に記載の移動端末の遠隔表示装置。
【請求項９】
前記処理部は、前記移動端末の外観イメージで前記移動端末の表示素子が表示される領域を検出し、検出した前記表示素子が表示される領域に前記移動端末の表示画面を表示し、前記移動端末の全体イメージが表示されるように制御することを特徴とする、請求項６に記載の移動端末の遠隔表示装置。
【発明の詳細な説明】
【技術分野】
【０００１】
本発明は、移動端末の遠隔制御に関し、さらに詳細には、通信ネットワークを介して連結された移動端末の外観及び表示画面を表示することができる移動端末の遠隔表示方法に関する。
【背景技術】
【０００２】
遠隔制御は、地域的に遠く離れているか、分散されたコンピュータを、通信ネットワークを通じて接続して制御する技術であって、インターネットまたはイントラネットを通じて所定のコンピュータで制御対象コンピュータに接続した後、制御対象コンピュータの実行画面を見ながら制御対象コンピュータのすべての機能を制御することができる技術である。
【０００３】
前述のような遠隔制御の便利性によって、遠隔制御は、企業ユーザを越えて個人ユーザまで広く利用している。例えば、遠隔制御は、企業で単純に企業内のコンピュータ使用を監視し管理する次元で利用することを脱して、個人ユーザも家庭のコンピュータで職場のコンピュータに遠隔接続して使用するか、職場のコンピュータを利用して家庭のコンピュータに遠隔接続して使用することが増加している。
【０００４】
一方、最近、スマートフォンなどの移動端末を利用したインターネット使用が普遍化されるに伴い、個人用コンピュータを利用してスマートフォンを遠隔制御するためのアプリケーションが活発に開発されている。
【０００５】
例えば、最近では、スマートフォンのエラー訂正及び管理のために無線ネットワークを通じてコンピュータとスマートフォンを連結した後、スマートフォンの表示画面をコンピュータに表示し、コンピュータに表示されたスマートフォンの表示画面を見ながらスマートフォンを遠隔制御する技術が使われている。
【０００６】
しかし、既存には、前述したようにコンピュータを利用してスマートフォンを遠隔制御するとき、コンピュータにスマートフォンの表示画面だけを表示し、スマートフォンの実際外観を表示しないので、ユーザがスマートフォンの機種を直観的に知ることができないという短所がある。
【０００７】
また、既存の遠隔制御過程では、スマートフォンの画面がコンピュータに固定されたサイズに表示されるので、ユーザが表示画面のサイズを調節することができないという短所がある。一般的にコンピュータ表示画面の解像度がスマートフォンの表示画面の解像度よりさらに広いという点を考慮すれば、解像度が広いコンピュータ表示画面を通じて解像度が狭いスマートフォンの表示画面を見ながら作業を行うことは、ユーザの作業能率を低下させうるという短所がある。
【発明の概要】
【発明が解決しようとする課題】
【０００８】
本発明は、前述のような短所を解決するためになされたもので、その目的は、使用便宜性を向上させることができる移動端末の遠隔表示方法を提供することにある。
【０００９】
また、本発明の他の目的は、使用便宜性を向上させることができる移動端末の遠隔表示装置を提供することにある。
【課題を解決するための手段】
【００１０】
本発明の上記目的を達成するために、本発明の一態様による移動端末の遠隔表示方法は、前記移動端末から移動端末の表示情報を提供する段階と、提供された前記移動端末の表示情報に基づいて前記移動端末の外観イメージを獲得する段階と、獲得した前記移動端末の外観イメージと前記移動端末から提供された表示画面情報を含む前記移動端末の全体イメージを表示する段階とを含む。
【００１１】
ここで、前記移動端末の遠隔表示方法は、前記移動端末の全体イメージを表示する段階の後に、前記表示された移動端末の全体イメージに対するサイズ変更を指示するイベントが発生すれば、前記表示された移動端末の全体イメージに含まれた各イメージ客体のサイズ比率及び各イメージ客体間の相対的な位置を維持しながら前記表示された移動端末の全体イメージサイズを変更する段階をさらに含むことができる。
【００１２】
ここで、前記遠隔連結された移動端末から移動端末の表示情報を提供される段階は、前記移動端末の外観イメージを獲得するための前記移動端末の識別情報を提供されることができる。
【００１３】
ここで、前記移動端末の外観イメージを獲得する段階は、あらかじめ備えられたデータベースから前記識別情報に対応する前記移動端末の外観イメージを獲得するか、またはネットワークを通じて前記識別情報に対応する前記移動端末の外観イメージを獲得することができる。
【００１４】
ここで、前記移動端末の全体イメージを表示する段階は、前記移動端末の外観イメージで前記移動端末の表示素子が表示される領域を検出し、検出した前記表示素子が表示される領域に前記移動端末の表示画面を表示し、前記移動端末の全体イメージを表示することができる。
【００１５】
また、本発明の他の目的を達成するために、本発明の一態様による移動端末の遠隔表示装置は、移動端末と連結を設定した後、前記移動端末から表示情報を受信する通信部と、前記表示情報に相当する前記移動端末の外観イメージを格納する格納部と、前記表示情報に基づいて前記移動端末の外観イメージを前記格納部から獲得した後、獲得した前記外観イメージと前記移動端末から提供された前記移動端末の表示画面を含む前記移動端末の全体イメージが表示されるように制御する処理部と、前記処理部の制御に相当して前記移動端末の全体イメージを表示する表示部とを含む。
【００１６】
ここで、前記処理部は、前記移動端末の全体イメージが表示された後、前記表示された移動端末の全体イメージに対するサイズ変更を指示するイベントが発生すれば、前記表示された移動端末の全体イメージに含まれた各イメージ客体のサイズ比率及び各イメージ客体間の相対的な位置を維持しながら前記表示された移動端末の全体イメージサイズを変更することができる。
【００１７】
ここで、前記移動端末の表示情報は、前記移動端末の外観イメージを獲得するための前記移動端末の識別情報を含むことができる。
【００１８】
ここで、前記処理部は、前記移動端末の外観イメージで前記移動端末の表示素子が表示される領域を検出し、検出した前記表示素子が表示される領域に前記移動端末の表示画面を表示し、前記移動端末の全体イメージが表示されるように制御することができる。
【発明の効果】
【００１９】
前述のような移動端末の遠隔表示方法及びこれを行う装置によれば、遠隔接続された移動端末の外観及び移動端末の表示画面を実際移動端末の形態と同様に表示することができ、表示した移動端末のイメージサイズを変更する場合、原本イメージに含まれた各イメージ客体のサイズ比率及び各イメージ客体の相対的な位置を同一に維持しながら移動端末の全体イメージサイズを変更して表示する。
【００２０】
したがって、ユーザが移動端末のモデルまたは種類を容易に認識することができ、表示された移動端末のイメージサイズを調節する場合には、移動端末の実際形態を同一に維持した状態でサイズだけを変更して表示することによって、使用便宜性を向上させることができる。
【図面の簡単な説明】
【００２１】
【図１】図１は、本発明の一実施例による移動端末の遠隔表示方法を示すフローチャートである。
【００２２】
【図２】図２は、本発明の一実施例による移動端末の遠隔表示方法を説明するための概念図である。
【００２３】
【図３】図３は、本発明の一実施例による移動端末の遠隔表示装置の構成を示すブロック図である。
【発明を実施するための形態】
【００２４】
本発明は、多様な変更を行うことができ、さまざまな実施例を有することができるところ、特定の実施例を図面に例示し、詳細に説明する。
【００２５】
しかし、これは、本発明を特定の実施形態に限定しようとするものではなく、本発明の思想及び技術範囲に含まれるすべての変更、均等物ないし代替物を含むものと理解しなければならない。
【００２６】
本出願において使用した用語は、ただ特定の実施例を説明するために使用されたもので、本発明を限定しようとする意図ではない。単数の表現は、文脈上明白に異なって意味しない限り、複数の表現を含む。本出願において、「含む」または「有する」などの用語は、明細書上に記載した特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたものなどの存在または付加可能性を予め排除しないものと理解するべきである。
【００２７】
別途定義しない限り、技術的または科学的な用語を含んでここで使用されるすべての用語は、本発明の属する技術分野における通常の知識を有する者によって一般的に理解されるものと同一の意味を有している。一般的に使用される辞書に定義されているような用語は、関連技術の文脈上有する意味と一致する意味をもつものと解釈するべきであり、本出願において明白に定義しない限り、理想的または過度に形式的な意味に解釈されない。
【００２８】
以下、本発明の実施例において、移動端末は、有線または無線通信インターフェースを備えたスマートフォン、携帯電話、パッド型端末、ゲーム機などの携帯または移動可能なすべての端末を指す。
【００２９】
また、本発明の実施例において遠隔表示装置は、移動端末と無線または有線通信インターフェースを通じて遠隔接続が可能であり、情報処理及び情報処理結果を表示することができるディスプレイ装置を含むすべての装置を指す意味として使用されうる。例えば、本発明の実施例において移動端末の遠隔表示を行う装置は、マウント型コンピュータ、ノート型パソコン、パッド型端末などを含むことができる。
【００３０】
以下、添付の図面を参照して、本発明の好ましい実施例をさらに詳細に説明する。以下、図面上の同一の構成要素については、同一の参照符号を使用し、同一の構成要素について重複された説明を省略する。
【００３１】
図１は、本発明の一実施例による移動端末の遠隔表示方法を示すフローチャートであって、有線または無線ネットワークを介して所定の移動端末と遠隔接続した遠隔表示装置で行われる方法を示す。
【００３２】
図１を参照すると、まず、遠隔表示装置は、移動端末と遠隔接続を行う（Ｓ１１０）。ここで、遠隔表示装置と移動端末は、相互間に信頼性ある接続のために遠隔表示装置が移動端末の認証を行うか、移動端末が遠隔表示装置の認証を行った後、相互間に接続を行うことができる。または、遠隔表示装置と移動端末は、別途の認証サーバーを通じて認証を行うこともできる。
【００３３】
前述のように、遠隔表示装置と移動端末が遠隔接続されれば、遠隔表示装置は、移動端末から移動端末を識別することができる識別情報を受信する（Ｓ１２０）。ここで、移動端末の識別情報は、例えば移動端末のモデル情報、ＵＵＩＤ（Ｕｎｉｖｅｒｓａｌｌｙ  Ｕｎｉｑｕｅ  ＩＤｅｎｔｉｆｉｅｒ）、移動端末に割り当てられた電話番号などにすることができ、前記識別情報は、移動端末の機種を判断するために使用されることができる。
【００３４】
その後、遠隔表示装置は、移動端末から受信した識別情報に基づいて移動端末の外観イメージを獲得する（Ｓ１３０）。ここで、遠隔表示装置は、移動端末の識別情報と対応する移動端末のモデル情報及び移動端末のモデル別（または機種別）外観イメージを格納しているデータベースを備えることができ、前記データベースで受信した移動端末の識別情報と対応する移動端末の機種情報を検索し、検索した移動端末の機種に相当する移動端末の外観イメージを獲得することができる。
【００３５】
または、遠隔表示装置が自体的に移動端末の機種別外観イメージを格納しているデータベースを備えていない場合には、通信ネットワークを通じて別途のデータベースサーバーまたは外部検索エンジンを通じて移動端末から受信した識別情報に該当する移動端末の外観イメージを獲得することもできる。
【００３６】
また、遠隔表示装置は、移動端末の表示画面情報を受信する（Ｓ１４０）。ここで、移動端末の表示画面情報は、移動端末に備えられた表示素子（例えば、液晶表示装置）に現在表示されている画面情報になることもでき、移動端末の表示素子がオフ状態の場合には、移動端末の表示素子のオン状態になったときに表示される画面情報（例えば、待機画面）になることもできる。
【００３７】
また、段階Ｓ１４０は、段階Ｓ１２０と同時に行うこともできる。すなわち、遠隔表示装置と移動端末が遠隔接続された後、移動端末は、遠隔接続装置に識別情報及び表示画面情報を同時に伝送することができ、このような場合、移動端末が予め定められた別途のデータ伝送フォーマットを利用して識別情報と表示画面情報を伝送するように構成することもできる。
【００３８】
遠隔表示装置は、前述のように、移動端末から受信した識別情報に該当する移動端末の外観イメージを獲得すれば、獲得した移動端末の外観イメージと移動端末の表示画面情報を処理し、移動端末の表示画面情報が移動端末の外観イメージのうち表示素子領域に表示されるように合成した後、合成した移動端末の全体イメージを表示する（Ｓ１５０）。
【００３９】
ここで、遠隔表示装置は、イメージ処理を通じて獲得した移動端末の外観イメージのうち表示素子領域を検出した後、検出した表示素子領域に移動端末からリアルタイムに受信した移動端末の表示画面が表示されるようにして、移動端末の外観イメージと移動端末の表示画面が合成された移動端末の全体イメージを表示することができる。また、遠隔表示装置は、獲得した移動端末の外観イメージのサイズ（または解像度）によって移動端末の表示画面のサイズを調整した後、移動端末の全体イメージを表示することもでき、移動端末の表示画面のサイズによって移動端末の外観イメージを調整した後、移動端末の全体イメージを表示することもできる。
【００４０】
その後、遠隔表示装置は、表示した移動端末の全体イメージのサイズ調節を指示するイベントが発生したか否かを判断し（Ｓ１６０）、移動端末の全体イメージのサイズ調節を指示するイベントが発生した場合には、移動端末の全体イメージに含まれた各イメージ客体のサイズ比率を維持させながら移動端末の全体イメージに対するサイズを調節するイメージ処理を行う（Ｓ１７０）。
【００４１】
例えば、移動端末の全体イメージにケース枠（またはベゼル（ｂｅｚｅｌ））、ディスプレイ素子（例えば、ＬＣＤ表示部）、ボタン、マイク、スピーカーなどのイメージ客体が含まれた場合、遠隔表示装置は、各イメージ客体相互間の比率を維持しながら移動端末の全体イメージのサイズを調節する。ここで、遠隔表示装置は、補間法（ｉｎｔｅｒｐｏｌａｔｉｏｎ）または補外法（ｅｘｔｒａｐｏｌａｔｉｏｎ）などのイメージ処理方法を利用して移動端末の全体イメージサイズを変更することができる。
【００４２】
遠隔表示装置は、前述のように、移動端末のイメージサイズを変更した後、これを表示する（Ｓ１８０）。
【００４３】
その後、遠隔表示装置は、移動端末のイメージ表示終了を指示するイベントが発生したか否かを判断し（Ｓ１９０）、移動端末のイメージ表示終了を指示するイベントが発生した場合には、移動端末のイメージ表示を終了し、移動端末のイメージ表示終了を指示するイベントが発生しない場合には、段階Ｓ１４０に戻り、以後の段階を行う。
【００４４】
図２は、本発明の一実施例による移動端末の遠隔表示方法を説明するための概念図であって、図２（ａ）は、遠隔表示方法が行われる環境を示し、図２（ｂ）は、移動端末の遠隔表示過程で遠隔表示装置に表示される移動端末の全体イメージ変更方法を説明するための概念図である。
【００４５】
図２を参照すると、遠隔表示装置２００と移動端末３００が遠隔接続されれば、遠隔表示装置２００は、移動端末３００から受信した情報に基づいて移動端末３００の全体イメージ３００ａを自分の表示画面２１０に表示する。ここで、遠隔表示装置２００は、移動端末３００が遠隔接続された後、最初に移動端末３００の全体イメージを表示する場合、移動端末３００の全体イメージをあらかじめ設定されたサイズ(例えば、実物サイズ)で表示することができる。
【００４６】
移動端末の全体イメージ３００ａは、移動端末の外観イメージ３１０ａと移動端末の表示素子領域に表示される表示画面３２０ａを含むことができ、外観イメージ３１０ａは、移動端末３００の実物イメージになることができ、表示画面３２０ａは、移動端末３００の表示素子に表示される画面イメージであって、移動端末３００からリアルタイムに伝送される表示画面情報に相当して変更されうる。
【００４７】
その後、遠隔表示装置２００のユーザが移動端末の全体イメージ３００ａを変更すれば、遠隔表示装置２００は、ユーザが変更したイメージサイズに相当して移動端末の全体イメージ３００ａのサイズを変更した後、変更した移動端末の全体イメージ３００ｂを表示する。
【００４８】
ここで、遠隔表示装置２００は、移動端末の全体イメージの比率及び全体イメージに含まれた各イメージ客体のサイズ比率及びイメージ客体間の相対的な比率を維持しながら移動端末の全体イメージサイズを変更する。
【００４９】
例えば、図２の（ｂ）に示すように、移動端末の全体イメージ３００ａが、ベゼル３０１ａ、スピーカー３０２ａ、カメラ３０３ａ、ボタン３０４ａ及び表示画面３２０ａのイメージ客体を含む場合、移動端末の全体イメージのサイズが拡大される場合でも、拡大された移動端末の全体イメージ３００ｂに含まれたベゼル３０１ｂ、スピーカー３０２ｂ、カメラ３０３ｂ、ボタン３０４ｂ及び表示画面３２０ｂそれぞれのサイズ比率及び各イメージ客体相互間の位置比率は、同一に維持される。
【００５０】
すなわち、原本全体イメージ３００ａのボタン３０４ａの横ｗ１及び縦ｈ１の比率が３：２である場合、拡大された全体イメージ３００ｂのボタン３０４ａの横ｗ２及び縦ｈ２の比率も３：２となるように、遠隔表示装置２００はイメージ処理を行う。
【００５１】
また、遠隔表示装置２００は、移動端末の全体イメージに対するサイズ変更時に前述のように各イメージ客体のサイズ比率を原本全体イメージと同一に維持すると同時に、各イメージ客体の位置の比率も原本全体イメージと同一に維持するようにイメージ処理を行う。
【００５２】
例えば、遠隔表示装置２００は、原本全体イメージ３００ａでボタン３０４ａの中心位置３０４ａｃが原本全体イメージの縦長さの１／２０と横長さの４／８に位置する場合、拡大された全体イメージ３００ｂでも、ボタン３０４ｂの中心位置３０４ｂｃが縦長さの１／２０及び横長さの４／８に位置するようにイメージ処理を行った後、これを表示する。
【００５３】
図２に示すように、本発明の一実施例による移動端末の遠隔表示方法では、移動端末の実際外観イメージと移動端末の表示画面を含む移動端末の全体イメージを表示し、表示された移動端末の全体イメージが縮小または拡大される場合、原本全体イメージに含まれた各イメージ客体のサイズ及び相対的位置の比率を同一に維持することによって、ユーザが遠隔接続した移動端末の種類を瞬時に認識することができるようにし、遠隔表示装置に表示される移動端末の全体イメージを拡大するか、または縮小する場合にも、移動端末の全体的な形態と特性が維持されるようにして、サービス品質及び作業効率を向上させることができる。
【００５４】
図３は、本発明の一実施例による移動端末の遠隔表示装置の構成を示すブロック図である。
【００５５】
図３を参照すると、本発明の一実施例による移動端末の遠隔表示装置２００は、通信部２０２、処理部２０４、格納部２０６、入力部２０８及び表示部２１０を含むことができる。
【００５６】
通信部２０２は、有線または無線データ通信を行うためのネットワークインターフェースで構成されることができ、処理部２０４の制御に相当して移動端末と通信連結を設定する。また、通信部２０２は、移動端末から移動端末の識別情報及び表示画面情報を受信し、受信した情報を処理部２０４が認識可能な形態で処理した後、処理部２０４に提供する。
【００５７】
ここで、移動端末の識別情報は、例えば、移動端末のモデル情報、ＵＵＩＤ、移動端末に割り当てられた電話番号などにすることができ、前記識別情報は、移動端末の機種を判断するために使用されうる。また、移動端末の表示画面情報は、移動端末に備えられた表示素子に現在表示されている画面情報になることもでき、移動端末の表示素子がオフ状態の場合には、移動端末の表示素子のオン状態になったときに表示される画面情報（例えば、待機画面）になることもできる。
【００５８】
処理部２０４は、通信部２０２を通じて移動端末から伝送された識別情報及び移動端末の表示画面情報を提供され、提供された移動端末の識別情報に基づいて移動端末の外観イメージを獲得する。ここで、処理部２０４は、移動端末の識別情報と対応する移動端末のモデル情報を、格納部２０６に格納されたデータベースで検索した後、検索された移動端末のモデルに該当するイメージを読み取ることができる。
【００５９】
また、処理部２０４は、格納部２０６に前記データベースが格納されていないか、もしくは前記移動端末の識別情報に対応するイメージが格納部２０６に格納されない場合には、通信部２０２を通じて外部データベースサーバーまたは外部検索エンジンを通じて移動端末の識別情報に該当する移動端末の外観イメージを獲得することもできる。
【００６０】
また、処理部２０４は、移動端末の外観イメージと移動端末の表示画面情報を処理し、移動端末の表示画面情報が移動端末の外観イメージで表示素子が表示される領域に表示されるようにする。
【００６１】
ここで、処理部２０４は、イメージ処理のための映像処理モジュール２０５を備えることができ、映像処理モジュール２０５を通じて移動端末の外観イメージのうち表示素子領域を検出した後、検出した表示素子領域に移動端末からリアルタイムに受信した移動端末の表示画面を表示し、移動端末の外観イメージと移動端末の表示画面が合成された移動端末の全体イメージを、表示部２１０を通じて表示する。
【００６２】
また、処理部２０４は、移動端末の外観イメージのサイズによって移動端末の表示画面のサイズを調整した後、移動端末の全体イメージを表示することもでき、移動端末の表示画面のサイズによって移動端末の外観イメージを調整した後、移動端末の全体イメージを表示することもできる。
【００６３】
処理部２０４は、前述のように、表示部２１０を通じて移動端末の全体イメージを表示した後、入力部２０８から前記全体イメージのサイズ調節を指示するイベントが提供されれば、図２に示すように、移動端末の全体イメージに含まれた各イメージ客体のサイズ比率及び各イメージ客体間の相対的位置を維持させながら移動端末の全体イメージに対するサイズを変更した後、表示部２１０を通じてこれを表示する。
【００６４】
ここで、処理部２０４または処理部２０４内の映像処理モジュール２０５は、補間法または補外法などのイメージ処理方法を利用して移動端末の全体イメージサイズを変更することができる。
【００６５】
格納部２０６は、非揮発性メモリ素子で構成されることができ、移動端末の識別情報に対応する移動端末のモデル情報及び／または外観イメージを含むことができる。
【００６６】
例えば、格納部２０６には、移動端末の識別情報別に移動端末のモデル（または機種情報）及び移動端末の外観イメージ情報が格納できる。
【００６７】
入力部２０８は、キーパッド、タッチパネルで構成されることができ、ユーザのキーまたはメニュー操作に相当するキーイベント信号を処理部２０４に提供する。
【００６８】
表示部２１０は、液晶ディスプレイ装置（ＬＣＤ）、プラズマディスプレイ装置（ＰＤＰ）、有機発光ダイオード（ＯＬＥＤ）などの表示素子で構成されることができ、処理部２０４から提供された移動端末の全体イメージを表示する。
【００６９】
または、入力部２０８及び表示部２１０は、タッチスクリーンなどの単一素子で構成されることもできる。
【００７０】
以上実施例を参照して説明してきたが、当該技術分野の熟練された当業者は、下記の特許請求の範囲に記載された本発明の思想及び領域から逸脱しない範囲内で本発明を多様に修正及び変更することができることは理解できる。
【符号の説明】
【００７１】
２００  遠隔表示装置
２０２  通信部
２０４  処理部
２０５  映像処理モジュール
２０６  格納部
２０８  入力部
２１０  表示部
３００  移動端末
【図１】
2013172460.tif 000003
【図２】
2013172460.tif 000004
【図３】
2013172460.tif 000005